(57)【要約】【課題】光源部の光出力を決定する調光比の誤検出を抑制可能な点灯装置およびそれを用いた照明器具を提供する。【解決手段】点灯装置２２は、一対の端子４２Ａ，４２Ｂと、第１整流回路３３と、電力変換回路３４と、制御回路３８と、第２整流回路３６と、検出回路３５と、判定回路４１とを備えている。判定回路４１は、検出回路３５により検出された電圧Ｖ３が第１閾値よりも大きくなった時点から電圧Ｖ３が第２閾値に低下した時点までの期間が、電圧Ｖ３の位相の大きさであるか否かを判定するように構成されている。電力変換回路３４は、スイッチング素子Ｑ１を備えている。制御回路３８は、判定回路４１により前記期間が前記位相の大きさであると判定されたとき、前記位相の大きさであると判定された前記期間に基づいて、スイッチング素子Ｑ１を制御する。【選択図】図１
2015207423.tif 000002
【特許請求の範囲】
【請求項１】
固体発光素子を具備する光源部を点灯させる点灯装置であって、
一対の端子と、位相制御された交流電圧を全波整流する第１整流回路と、前記第１整流回路により全波整流された電圧を所定の直流電圧もしくは所定の直流電流に変換する電力変換回路と、前記電力変換回路を制御する制御回路と、前記位相制御された交流電圧を全波整流する第２整流回路と、前記第２整流回路により全波整流された電圧を検出する検出回路と、判定回路とを備え、
前記判定回路は、前記検出回路により検出された電圧が予め設定された第１閾値よりも大きくなった時点から前記検出回路により検出された電圧が予め設定された第２閾値に低下した時点までの期間を検出し、かつ、前記期間が前記検出回路により検出された電圧の位相の大きさであるか否かを判定するように構成され、
前記第１整流回路および前記第２整流回路は、交流電源と調光装置との直列回路が前記一対の端子間に接続されたときに、前記位相制御された交流電圧を全波整流するように構成され、
前記電力変換回路は、スイッチング素子を備え、
前記制御回路は、前記判定回路により前記期間が前記位相の大きさであると判定されたとき、前記位相の大きさであると判定された前記期間に基づいて、前記スイッチング素子を制御する
ことを特徴とする点灯装置。
【請求項２】
前記一対の端子間に接続されたフィルタ回路を、更に備え、
前記フィルタ回路は、前記第１整流回路および前記第２整流回路それぞれの入力側に設けられている
ことを特徴とする請求項１記載の点灯装置。
【請求項３】
前記判定回路は、検出した前記期間である第１期間が、前回に検出した前記期間である第２期間よりも短いとき、前記第１期間が前記位相の大きさであると判定する
ことを特徴とする請求項１または請求項２記載の点灯装置。
【請求項４】
前記判定回路は、前記検出回路により検出された電圧から複数のサンプル値を抽出するように構成され、
前記判定回路は、抽出した前記サンプル値である第１サンプル値と前回に抽出した前記サンプル値である第２サンプル値との差分が、予め規定された規定値以上のとき、前記第１サンプル値が抽出された時点を前記調光装置に予め設けられたスイッチング装置が遮断状態から導通状態になった時点であると判定し、かつ、前記第１サンプル値が抽出された時点から前記検出回路により検出された電圧が前記第２閾値以下になった時点までの期間が前記位相の大きさであると判定する
ことを特徴とする請求項１または請求項２記載の点灯装置。
【請求項５】
前記判定回路は、前記検出回路により検出された電圧が前記第１閾値に達した時点の電圧値を検出するように構成され、
前記判定回路は、前記電圧値が前記第１閾値よりも大きな第３閾値以上のとき、前記第１閾値に達した時点を、前記調光装置に予め設けられたスイッチング装置が遮断状態から導通状態になった時点であると判定し、かつ、前記検出回路により検出された電圧が前記第１閾値よりも大きくなった時点から前記検出回路により検出された電圧が前記第２閾値に低下した時点までの期間が前記位相の大きさであると判定する
ことを特徴とする請求項１または請求項２記載の点灯装置。
【請求項６】
前記光源部と、前記光源部を点灯させる請求項１ないし請求項５のいずれか１項に記載の点灯装置と、前記光源部が取り付けられる器具本体とを備えている
ことを特徴とする照明器具。
【請求項７】
前記光源部と前記点灯装置とを含む照明負荷に並列に接続されたブリーダ回路を、更に備えている
ことを特徴とする請求項６記載の照明器具。
【発明の詳細な説明】
【技術分野】
【０００１】
本発明は、光源部を点灯させる点灯装置およびそれを用いた照明器具に関する。
【背景技術】
【０００２】
従来、照明器具と、照明器具を調光する調光器とを備えた照明システムが提案されている（例えば、特許文献１）。
【０００３】
特許文献１に記載された照明システムにおける照明器具（以下、「従来例の照明器具」）は、調光器と商用電源との直列回路が電気的に接続される。調光器は、トライアックを備えている。
【０００４】
従来例の照明器具は、光源部と、調光スイッチ部とを備えている。調光スイッチ部は、光源部への給電をオン／オフするように構成されている。
【０００５】
また、従来例の照明器具は、整流部と、平滑部と、電圧検出部と、調光制御部とを備えている。整流部は、商用電源から供給された交流電圧を整流するように構成されている。平滑部は、整流部の出力を平滑化して光源部へ出力するように構成されている。電圧検出部は、整流部の出力電圧を検出するように構成されている。調光制御部は、電圧検出部で電圧が検出される期間に基づいてトライアックの導通角を検出するように構成されている。また、調光制御部は、上記導通角に基づくデューティ比で調光スイッチ部のオン／オフを切り替えることにより光源部を調光するように構成されている。
【先行技術文献】
【特許文献】
【０００６】
【特許文献１】特開２０１２−１８５９９８号公報
【発明の概要】
【発明が解決しようとする課題】
【０００７】
従来例の照明器具では、調光制御部が、電圧検出部で電圧が検出される期間に対応する光源部の調光比に基づいて、調光スイッチ部のオン／オフを切り替える。
【０００８】
しかしながら、従来例の照明器具では、例えば、商用電源の交流電圧のゼロクロス時点において商用電源の電源ラインにノイズが重畳されたとき、電圧検出部で電圧が検出される期間が変動する可能性がある。これにより、調光制御部は、間違った調光比に基づいて、調光スイッチ部のオン／オフを切り替える可能性がある。
【０００９】
本発明の目的は、光源部の光出力を決定する調光比の誤検出を抑制可能な点灯装置およびそれを用いた照明器具を提供することにある。
【課題を解決するための手段】
【００１０】
本発明の点灯装置は、固体発光素子を具備する光源部を点灯させる点灯装置である。本発明の点灯装置は、一対の端子と、位相制御された交流電圧を全波整流する第１整流回路と、前記第１整流回路により全波整流された電圧を所定の直流電圧もしくは所定の直流電流に変換する電力変換回路とを備えている。また、本発明の点灯装置は、前記電力変換回路を制御する制御回路と、前記位相制御された交流電圧を全波整流する第２整流回路と、前記第２整流回路により全波整流された電圧を検出する検出回路と、判定回路とを備えている。前記判定回路は、前記検出回路により検出された電圧が予め設定された第１閾値よりも大きくなった時点から前記検出回路により検出された電圧が予め設定された第２閾値に低下した時点までの期間を検出し、かつ、前記期間が前記検出回路により検出された電圧の位相の大きさであるか否かを判定するように構成されている。前記第１整流回路および前記第２整流回路は、交流電源と調光装置との直列回路が前記一対の端子間に接続されたときに、前記位相制御された交流電圧を全波整流するように構成されている。前記電力変換回路は、スイッチング素子を備えている。前記制御回路は、前記判定回路により前記期間が前記位相の大きさであると判定されたとき、前記位相の大きさであると判定された前記期間に基づいて、前記スイッチング素子を制御する。
【００１１】
本発明の照明器具は、前記光源部と、前記光源部を点灯させる前記点灯装置と、前記光源部が取り付けられる器具本体とを備えている。
【発明の効果】
【００１２】
本発明の点灯装置では、光源部の光出力を決定する調光比の誤検出を抑制することが可能となる。
【００１３】
本発明の照明器具では、光源部の光出力を決定する調光比の誤検出を抑制可能な点灯装置を備えた照明器具を提供することができる。
【図面の簡単な説明】
【００１４】
【図１】本実施形態の点灯装置を備えた照明器具の概略回路図である。
【図２】本実施形態の照明器具におけるブリーダ回路を説明する概略回路図である。
【図３】本実施形態の照明器具を備えた照明システムの概略回路図である。
【図４】本実施形態の点灯装置に関し、点灯装置に印加される電圧と、調光装置における変換部に印加される電圧と、点灯装置の検出回路により検出された電圧とを示す波形図である。
【図５】本実施形態の点灯装置に関し、判定回路による判定方法を説明する説明図である。
【図６】本実施形態の点灯装置に関し、判定回路による他の判定方法を説明する説明図である。
【図７】本実施形態の点灯装置に関し、判定回路による別の判定方法を説明する説明図である。
【図８】本実施形態の照明器具の施工状態における概略側面図である。
【発明を実施するための形態】
【００１５】
以下では、本実施形態の点灯装置２２について、図１〜図７を参照しながら説明する。なお、以下では、説明の便宜上、本実施形態の照明器具２０を備えた照明システム３０について、図３を参照しながら説明した後に、点灯装置２２について詳細に説明する。
【００１６】
照明システム３０は、照明器具２０と、調光装置１０とを備えている。照明器具２０は、正弦波状の交流電圧を出力する交流電源４０と調光装置１０との直列回路と電気的に接続されている。調光装置１０は、交流電源４０の交流電圧を位相制御するように構成されている。交流電源４０は、例えば、商用電源である。調光装置１０は、例えば、調光器である。なお、以下では、説明の便宜上、位相制御された交流電圧を、「位相制御電圧」と称することもある。また、位相制御電圧の電圧波形は、交流電圧の電圧波形において交流電圧の半周期分の電圧波形を含む。
【００１７】
調光装置１０は、図３に示すように、一対の端子１Ａ，１Ｂと、フィルタ回路２と、スイッチング装置３と、制御回路４と、電源回路５と、設定部６とを備えている。
【００１８】
一対の端子１Ａ，１Ｂ間には、フィルタ回路２が電気的に接続されている。また、一対の端子１Ａ，１Ｂ間には、スイッチング装置３が電気的に接続されている。さらに、一対の端子１Ａ，１Ｂ間には、電源回路５が電気的に接続されている。
【００１９】
一対の端子１Ａ，１Ｂ間には、交流電源４０と照明器具２０との直列回路を電気的に接続することができる。なお、以下では、説明の便宜上、一対の端子１Ａ，１Ｂのうちの端子１Ａを「第１接続端子１Ａ」と称し、端子１Ｂを「第２接続端子１Ｂ」と称することもある。
【００２０】
フィルタ回路２は、ノイズを除去するように構成されている。フィルタ回路２は、例えば、第１コンデンサＣ１と第１インダクタＬ１とのＬＣ回路である。第１コンデンサＣ１は、一対の端子１Ａ，１Ｂ間に電気的に接続されている。第１インダクタＬ１の第１端は、第２接続端子１Ｂと電気的に接続されている。
【００２１】
スイッチング装置３は、例えば、双方向サイリスタである。双方向サイリスタの第１主端子は、第１接続端子１Ａと電気的に接続されている。双方向サイリスタの第２主端子は、第１インダクタＬ１の第２端と電気的に接続されている。双方向サイリスタの制御端子は、制御回路４と電気的に接続されている。調光装置１０では、スイッチング装置３として双方向サイリスタを用いているが、これに限らない。スイッチング装置３は、例えば、２つのｎチャネルＭＯＳＦＥＴが、逆直列に接続された構成であってもよい。一例を挙げて説明すると、スイッチング装置３は、例えば、２つのｎチャネルＭＯＳＦＥＴが、互いのソース電極同士を接続して逆直列に接続された構成であってもよい。
【００２２】
制御回路４は、スイッチング装置３を制御するように構成されている。制御回路４は、制御部８と、第１ダイオードＤ１と、同期信号生成部９とを備えている。
【００２３】
第１ダイオードＤ１のアノードは、第１接続端子１Ａと電気的に接続されている。第１ダイオードＤ１のカソードは、同期信号生成部９と電気的に接続されている。同期信号生成部９は、制御部８と電気的に接続されている。また、同期信号生成部９は、調光装置１０のグランドと電気的に接続されている。
【００２４】
同期信号生成部９は、交流電源４０の交流電圧の大きさに基づいて、同期信号を生成するように構成されている。また、同期信号生成部９は、上記同期信号を制御部８へ出力するように構成されている。上記同期信号は、例えば、第１ＰＷＭ信号である。
【００２５】
同期信号生成部９は、交流電源４０の交流電圧が予め設定された設定値を上回る期間のみ上記同期信号の出力レベルをハイレベルとする。
【００２６】
制御部８は、スイッチング装置３を制御するように構成されている。制御部８は、例えば、第１プログラムが搭載された第１マイクロコンピュータである。第１プログラムは、例えば、第１マイクロコンピュータに予め設けられた第１メモリ（図示せず）に記憶されている。なお、調光装置１０では、制御部８として第１マイクロコンピュータを用いているが、これに限らない。制御部８は、例えば、第１制御用ＩＣ（Integrated Circuit）であってもよい。
【００２７】
また、制御部８は、スイッチング装置３を制御することで交流電源４０の交流電圧を位相制御するように構成されている。位相制御とは、例えば、交流電源４０の交流電圧がゼロのときにスイッチング装置３を導通状態から遮断状態にし、上記同期信号が立ち上がるときにスイッチング装置３を遮断状態から導通状態にすることによって交流電源４０の交流電圧を制御することを意味する。
【００２８】
電源回路５は、制御回路４に電力を供給するように構成されている。具体的に説明すると、電源回路５は、位相制御電圧から所定の直流電圧Ｖ１（以下、「第１直流電圧Ｖ１」）を生成するように構成されている。また、電源回路５は、第１直流電圧Ｖ１を制御回路４に供給するように構成されている。要するに、電源回路５は、交流電源４０の交流電圧から第１直流電圧Ｖ１を生成して制御回路４に第１直流電圧Ｖ１を供給するように構成されている。
【００２９】
電源回路５は、整流平滑回路１１と、変換部１２と、第２コンデンサＣ２とを備えている。
【００３０】
整流平滑回路１１は、位相制御電圧を整流および平滑するように構成されている。整流平滑回路１１は、例えば、第２ダイオードＤ２と、第３コンデンサＣ３とを備えている。なお、整流平滑回路１１は、第２ダイオードＤ２と、第３コンデンサＣ３とを備えているが、これを特に限定するものではない。
【００３１】
変換部１２は、整流平滑回路１１により整流および平滑された電圧を第１直流電圧Ｖ１に変換するように構成されている。変換部１２は、例えば、ＤＣ−ＤＣコンバータである。ＤＣ−ＤＣコンバータの一対の入力端のうちの第１入力端は、第２ダイオードＤ２のカソードと電気的に接続されている。第２ダイオードＤ２のアノードは、第１接続端子１Ａと電気的に接続されている。ＤＣ−ＤＣコンバータの一対の入力端のうちの第２入力端は、第１インダクタＬ１の第２端と電気的に接続されている。ＤＣ−ＤＣコンバータの一対の入力端間には、第３コンデンサＣ３が電気的に接続されている。
【００３２】
第２コンデンサＣ２は、ＤＣ−ＤＣコンバータの一対の出力端間に電気的に接続されている。第２コンデンサＣ２の高電位側の端子は、制御部８と電気的に接続されている。第２コンデンサＣ２の低電位側の端子は、調光装置１０のグランドと電気的に接続されている。
【００３３】
設定部６は、スイッチング装置３の導通角を設定するように構成されている。設定部６は、可変抵抗器１３と、操作部（図示せず）とを備えている。スイッチング装置３の導通角は、スイッチング装置３が導通状態である期間に相当する。上記操作部は、可変抵抗器１３のボリューム（図示せず）に取り付けられている。
【００３４】
可変抵抗器１３は、スイッチング装置３の導通角に対応する第２直流電圧Ｖ２を設定するための抵抗値を可変とするように構成されている。可変抵抗器１３は、例えば、３つの端子を備えたポテンショメータである。ポテンショメータは、分圧器として使用される。ポテンショメータは、２つの端子（以下、「第１端子」と「第２端子」）が抵抗素子の両端に接続され、残りの端子（以下、「第３端子」）が抵抗素子に沿って機械的に移動することができる摺動接点に接続されている。
【００３５】
ポテンショメータの第１端子は、第２コンデンサＣ２の高電位側の端子と電気的に接続されている。ポテンショメータの第２端子は、調光装置１０のグランドと電気的に接続されている。ポテンショメータの第３端子は、制御部８と電気的に接続されている。調光装置１０では、可変抵抗器１３の抵抗値によって、第２直流電圧Ｖ２の電圧値が決まる。つまり、調光装置１０では、可変抵抗器１３の抵抗値によって、スイッチング装置３の導通角の大きさが決まる。
【００３６】
調光装置１０では、上記操作部が操作されることによって、可変抵抗器１３の抵抗値が変更される。言い換えれば、調光装置１０では、上記操作部が操作されることによって、スイッチング装置３の導通角の大きさが変更される。
【００３７】
制御部８は、第２ＰＷＭ信号を出力するように構成されている。制御部８である第１マイクロコンピュータの第１メモリには、第１データテーブル（図示せず）が記憶されている。第１データテーブルは、第２直流電圧Ｖ２の電圧値と第２ＰＷＭ信号のオンデューティ比とが１対１で対応付けられたデータテーブルである。第２ＰＷＭ信号のオンデューティ比は、スイッチング装置３の導通角に相当する。第２ＰＷＭ信号のオンデューティ比は、第２直流電圧Ｖ２の電圧値が大きくなるに従って、小さくなるように設定されている。
【００３８】
また、制御部８は、第１データテーブルに基づいて、第２直流電圧Ｖ２の電圧値に対応するオンデューティ比を有する第２ＰＷＭ信号を、スイッチング装置３へ出力するように構成されている。言い換えれば、制御部８は、設定部６により設定されたスイッチング装置３の導通角に対応するオンデューティ比を有する第２ＰＷＭ信号を、スイッチング装置３へ出力するように構成されている。
【００３９】
制御部８は、同期信号生成部９から上記同期信号が入力されるように構成されている。制御部８は、上記同期信号の立ち上がりと第２ＰＷＭ信号の立ち上がりとを同期させるように、第２ＰＷＭ信号をスイッチング装置３へ出力する。
【００４０】
スイッチング装置３は、制御部８から出力された第２ＰＷＭ信号に基づいて、導通状態もしくは遮断状態となる。
【００４１】
点灯装置２２は、例えば、図１に示すように、複数の固体発光素子２５を具備する光源部２１を点灯させるように構成されている。各固体発光素子２５は、例えば、ＬＥＤ（Light Emitting Diode）である。各固体発光素子２５の電気的な接続関係は、例えば、直列接続である。なお、点灯装置２２は、光源部２１を構成要件として含まない。
【００４２】
各固体発光素子２５の電気的な接続関係は、直列接続であるが、これに限らない。各固体発光素子２５の電気的な接続関係は、例えば、並列接続であってもよい。また、各固体発光素子２５の電気的な接続関係は、例えば、直列接続と並列接続とを組み合わせた接続であってもよい。各固体発光素子２５の発光色は、例えば、白色であるが、この色を特に限定するものではない。各固体発光素子２５は、ＬＥＤであるが、これに限らない。各固体発光素子２５は、例えば、有機エレクトロルミネッセンス素子であってもよい。固体発光素子２５の数は、複数に限らず、１つであってもよい。
【００４３】
点灯装置２２は、一対の端子４２Ａ，４２Ｂと、フィルタ回路３２と、第１整流回路３３と、電力変換回路３４と、制御回路３８と、第２整流回路３６と、検出回路３５と、判定回路４１とを備えている。なお、以下では、説明の便宜上、一対の端子４２Ａ，４２Ｂのうちの端子４２Ａを「第１入力端子４２Ａ」と称し、端子４２Ｂを「第２入力端子４２Ｂ」と称することもある。
【００４４】
一対の端子４２Ａ，４２Ｂ間には、交流電源４０と調光装置１０との直列回路を電気的に接続することができる。なお、点灯装置２２は、交流電源４０と調光装置１０とを構成要件として含まない。
【００４５】
フィルタ回路３２は、ノーマルモードノイズとコモンモードノイズとを除去するように構成されている。フィルタ回路３２は、例えば、第４コンデンサＣ４と、２つのインダクタＬ２，Ｌ３とを備えている。なお、以下では、説明の便宜上、２つのインダクタＬ２，Ｌ３のうちのインダクタＬ２を「第２インダクタＬ２」と称し、インダクタＬ３を「第３インダクタＬ３」と称することもある。
【００４６】
第４コンデンサＣ４は、一対の端子４２Ａ，４２Ｂ間に電気的に接続されている。第２インダクタＬ２の第１端は、第１入力端子４２Ａと電気的に接続されている。第２インダクタＬ２の第２端は、第１整流回路３３と電気的に接続されている。第３インダクタＬ３の第１端は、第２入力端子４２Ｂと電気的に接続されている。第３インダクタＬ３の第２端は、第１整流回路３３と電気的に接続されている。
【００４７】
フィルタ回路３２は、例えば、交流電源４０の電源ラインに重畳されたノイズ、空間へ輻射するノイズなどを除去する。なお、フィルタ回路３２は、第４コンデンサＣ４と、２つのインダクタＬ２，Ｌ３とを備えているが、この構成を特に限定するものではない。
【００４８】
第１整流回路３３は、交流電源４０の交流電圧を全波整流するように構成されている。言い換えれば、第１整流回路３３は、調光装置１０からの位相制御電圧を全波整流するように構成されている。第１整流回路３３は、例えば、ダイオードブリッジである。
【００４９】
上記ダイオードブリッジにおける一対の入力端のうちの一方の入力端は、第２インダクタＬ２の第２端と電気的に接続されている。上記ダイオードブリッジにおける上記一対の入力端のうちの他方の入力端は、第３インダクタＬ３の第２端と電気的に接続されている。上記ダイオードブリッジにおける一対の出力端は、電力変換回路３４と電気的に接続されている。
【００５０】
電力変換回路３４は、第１整流回路３３により全波整流された電圧を所定の直流電流に変換するように構成されている。電力変換回路３４は、例えば、絶縁型のフライバックコンバータである。電力変換回路３４は、第５コンデンサＣ５と、第１スイッチング素子Ｑ１と、トランスＴ１と、第３ダイオードＤ３と、第６コンデンサＣ６とを備えている。第１スイッチング素子Ｑ１は、例えば、ｎｐｎ型トランジスタである。トランスＴ１は、１次巻線Ｎ１と２次巻線Ｎ２とを備えている。
【００５１】
第５コンデンサＣ５は、第１整流回路３３である上記ダイオードブリッジにおける一対の出力端間に電気的に接続されている。
【００５２】
第１スイッチング素子Ｑ１の第１主端子（本実施形態では、コレクタ端子）は、１次巻線Ｎ１を介して、第５コンデンサＣ５の高電位側の端子と電気的に接続されている。第１スイッチング素子Ｑ１の第２主端子（本実施形態では、エミッタ端子）は、第５コンデンサＣ５の低電位側の端子と電気的に接続されている。第１スイッチング素子Ｑ１の制御端子（本実施形態では、ベース端子）は、制御回路３８と電気的に接続されている。
【００５３】
２次巻線Ｎ２の第１端は、第３ダイオードＤ３のアノードと電気的に接続されている。第３ダイオードＤ３のカソードは、第６コンデンサＣ６の高電位側の端子と電気的に接続されている。第６コンデンサＣ６の低電位側の端子は、２次巻線Ｎ２の第２端と電気的に接続されている。２次巻線Ｎ２の第２端は、第５コンデンサＣ５の低電位側の端子と電気的に接続されている。
【００５４】
なお、電力変換回路３４は、第１整流回路３３により全波整流された電圧を所定の直流電流に変換するように構成されているが、この構成に限らない。電力変換回路３４は、例えば、第１整流回路３３により全波整流された電圧を所定の直流電圧に変換するように構成されていてもよい。また、第１スイッチング素子Ｑ１は、ｎｐｎ型トランジスタであるが、これに限らない。第１スイッチング素子Ｑ１は、例えば、ｎチャネルＭＯＳＦＥＴであってもよい。
【００５５】
第６コンデンサＣ６の両端間には、光源部２１を電気的に接続することができる。これにより、点灯装置２２では、第６コンデンサＣ６の両端電圧が各固体発光素子２５の合計の順方向電圧以上であるとき、光源部２１を点灯させることが可能となる。
【００５６】
制御回路３８は、電力変換回路３４を制御するように構成されている。具体的に説明すると、制御回路３８は、第１スイッチング素子Ｑ１を制御するように構成されている。
【００５７】
制御回路３８は、例えば、第２プログラムが搭載された第２マイクロコンピュータである。第２プログラムは、例えば、第２マイクロコンピュータに予め設けられた第２メモリ（図示せず）に記憶されている。なお、点灯装置２２では、制御回路３８として第２マイクロコンピュータを用いているが、これに限らない。制御回路３８は、例えば、第２制御用ＩＣであってもよい。
【００５８】
第２整流回路３６は、位相制御電圧を全波整流するように構成されている。言い換えれば、第２整流回路３６は、調光装置１０からの位相制御電圧を全波整流するように構成されている。第２整流回路３６は、例えば、２つのダイオードＤ４，Ｄ５を備えている。なお、以下では、説明の便宜上、２つのダイオードＤ４，Ｄ５のうちのダイオードＤ４を「第４ダイオードＤ４」と称し、ダイオードＤ５を「第５ダイオードＤ５」と称することもある。
【００５９】
第４ダイオードＤ４のアノードは、第２インダクタＬ２の第２端と電気的に接続されている。第４ダイオードＤ４のカソードは、検出回路３５と電気的に接続されている。第５ダイオードＤ５のアノードは、第３インダクタＬ３の第２端と電気的に接続されている。第５ダイオードＤ５のカソードは、検出回路３５と電気的に接続されている。
【００６０】
検出回路３５は、第２整流回路３６により全波整流された電圧を検出するように構成されている。検出回路３５は、例えば、抵抗分圧回路である。抵抗分圧回路は、例えば、第１抵抗と第２抵抗との直列回路である。第１抵抗の第１端は、第４ダイオードＤ４および第５ダイオードＤ５それぞれのカソードと電気的に接続されている。第１抵抗の第２端は、第２抵抗の第１端と電気的に接続されている。第２抵抗の第２端は、点灯装置２２のグランドと電気的に接続されている。第１抵抗の第２端と第２抵抗の第１端との両方は、制御回路３８と電気的に接続されている。
【００６１】
制御回路３８は、判定回路４１を備えている。判定回路４１は、検出回路３５により検出された電圧Ｖ３（図４参照）が入力されるように構成されている。検出回路３５により検出された電圧Ｖ３は、上記第２抵抗の両端電圧に相当する。図４中の縦軸のＶ４は、点灯装置２２におけるフィルタ回路３２の一対の入力端間に印加される電圧を表している。図４中の縦軸のＶ５は、調光装置１０の整流平滑回路１１における第３コンデンサＣ３の両端電圧を表している。図４中の各横軸のｔは、時間を表している。なお、以下では、説明の便宜上、電圧Ｖ３を、「検出電圧Ｖ３」と称する。
【００６２】
判定回路４１は、検出電圧Ｖ３が入力されるように構成されているが、この構成に限らない。判定回路４１は、例えば、高周波ノイズが除去された検出電圧Ｖ３が入力されるように構成されていてもよい。この場合、制御回路３８には、高周波ノイズを除去するフィルタ（図示せず）が設けられている。上記フィルタは、例えば、デジタルフィルタである。デジタルフィルタは、例えば、検出電圧Ｖ３をアナログ／デジタル変換したデジタル信号を、移動平均演算するように構成されている。なお、移動平均とは、単純移動平均を意味する。
【００６３】
判定回路４１は、検出電圧Ｖ３が予め設定された第１閾値Ｖｓ１（図５参照）よりも大きくなった時点から検出電圧Ｖ３が予め設定された第２閾値Ｖｓ２（図５参照）に低下した時点までの期間を検出するように構成されている。また、判定回路４１は、上記期間が検出電圧Ｖ３の位相の大きさであるか否かを判定するように構成されている。第１閾値Ｖｓ１は、例えば、第２閾値Ｖｓ２よりも大きく設定されている。検出電圧Ｖ３の位相の大きさは、調光装置１０におけるスイッチング装置３の導通角に相当する。言い換えれば、検出電圧Ｖ３の位相の大きさは、光源部２１の光出力を決定する調光比に相当する。第１閾値Ｖｓ１および第２閾値Ｖｓ２は、上記第２メモリにそれぞれ記憶されている。図５中の縦軸のＶ３は、検出電圧を表している。図５中の横軸のｔは、時間を表している。図５中のＴは、検出電圧Ｖ３の１周期分を表している。
【００６４】
第１閾値Ｖｓ１は、第２閾値Ｖｓ２よりも大きく設定されているが、これに限らない。第１閾値Ｖｓ１は、例えば、第２閾値Ｖｓ２と同じ大きさに設定されていてもよい。
【００６５】
ところで、点灯装置２２では、例えば、交流電源４０の交流電圧のゼロクロス時点において交流電源４０の電源ラインに、フィルタ回路３２で除去しきれない大きさのノイズが重畳されたとき、検出回路３５により検出された検出電圧Ｖ３の位相の大きさが変動する可能性がある。
【００６６】
本願発明者らは、点灯装置２２において、検出回路３５により検出された検出電圧Ｖ３の位相の大きさが変動すると、判定回路４１が、光源部２１の光出力を決定する調光比を間違って判定することがあると考えた。また、本願発明者らは、検出電圧Ｖ３の位相の大きさが変動する一例として、図５に示すように、検出電圧Ｖ３の位相の大きさＴａ，Ｔｂが、交互に異なる値に変動することがあるという知見を得た。
【００６７】
判定回路４１は、図５に示すように、検出した上記期間である第１期間Ｔｂが、第１期間Ｔｂを検出する前に検出した上記期間である第２期間Ｔａよりも短いとき、第１期間Ｔｂが検出電圧Ｖ３の位相の大きさであると判定するように構成されている。
【００６８】
制御回路３８は、判定回路４１により第１期間Ｔｂが検出電圧Ｖ３の位相の大きさであると判定されたとき、検出電圧Ｖ３の位相の大きさであると判定された第１期間Ｔｂに基づいて、第１スイッチング素子Ｑ１を制御する。これにより、点灯装置２２は、光源部２１の光出力を決定する調光比の誤検出を抑制することが可能となる。また、点灯装置２２では、判定回路４１により上記期間が検出電圧Ｖ３の位相の大きさであるか否かを判定しない場合に比べて、光源部２１から放射される光がちらつくのを抑制することが可能となる。
【００６９】
制御回路３８は、第３ＰＷＭ信号を出力するように構成されている。制御回路３８である第２マイクロコンピュータの第２メモリには、第２データテーブル（図示せず）が記憶されている。第２データテーブルは、検出電圧Ｖ３の位相の大きさであると判定された第１期間Ｔｂと第３ＰＷＭ信号のオンデューティ比とが１対１で対応付けられたデータテーブルである。第３ＰＷＭ信号のオンデューティ比は、第１スイッチング素子Ｑ１のオン期間に相当する。言い換えれば、第３ＰＷＭ信号のオンデューティ比は、光源部２１の調光比に相当する。第３ＰＷＭ信号のオンデューティ比は、検出電圧Ｖ３の位相の大きさが大きくなるに従って、大きくなるように設定されている。
【００７０】
また、制御回路３８は、第２データテーブルに基づいて、検出電圧Ｖ３の位相の大きさであると判定された第１期間Ｔｂに対応するオンデューティ比を有する第３ＰＷＭ信号を、第１スイッチング素子Ｑ１へ出力するように構成されている。これにより、点灯装置２２では、光源部２１を調光することが可能となる。
【００７１】
判定回路４１は、第１期間Ｔｂが第２期間Ｔａよりも短いときに、第１期間Ｔｂが検出電圧Ｖ３の位相の大きさであると判定するように構成されているが、この構成に限らない。
【００７２】
判定回路４１は、検出回路３５により検出された電圧Ｖ３から複数のサンプル値を抽出するように構成されていてもよい。また、判定回路４１は、図６に示すように、抽出した上記サンプル値である第１サンプル値Ｓ１と前回に抽出した上記サンプル値である第２サンプル値Ｓ２との差分Ｗ１が、予め規定された規定値以上のとき、第１サンプル値Ｓ１が抽出された時点を調光装置１０のスイッチング装置３が遮断状態から導通状態になった時点であると判定し、かつ、第１サンプル値Ｓ１が抽出された時点から検出電圧Ｖ３が第２閾値Ｖｓ２以下になった時点までの期間Ｔｃ（図６参照）が検出電圧Ｖ３の位相の大きさであると判定するように構成されていてもよい。規定値は、上記第２メモリに記憶されている。規定値は、例えば、１Ｖ以上２Ｖ未満の範囲内の値に設定されていることが好ましい。図６中の縦軸のＶ３は、検出電圧を表している。図６中の横軸のｔは、時間を表している。図６中のＴは、検出電圧Ｖ３の１周期分を表している。図６中の黒丸は、上記サンプル値を表している。判定回路４１が複数のサンプル値を抽出する時間間隔は、例えば、数１０μｓに設定されている。
【００７３】
また、判定回路４１は、検出電圧Ｖ３が第１閾値Ｖｓ１に達した時点の電圧値を検出するように構成されていてもよい。また、判定回路４１は、上記電圧値が予め設定された第３閾値Ｖｓ３（図７参照）以上のとき、第１閾値Ｖｓ１に達した時点を調光装置１０のスイッチング装置３が遮断状態から導通状態になった時点であると判定し、かつ、検出電圧Ｖ３が第１閾値Ｖｓ１よりも大きくなった時点から検出電圧Ｖ３が第２閾値Ｖｓ２に低下した時点までの期間Ｔｄ（図７参照）が検出電圧Ｖ３の位相の大きさであると判定するように構成されていてもよい。この場合、第３閾値Ｖｓ３は、例えば、第１閾値Ｖｓ１よりも大きく設定される。第３閾値Ｖｓ３は、上記第２メモリに記憶されている。図７中の縦軸のＶ３は、検出電圧を表している。図７中の横軸のｔは、時間を表している。図７中のＴは、検出電圧Ｖ３の１周期分を表している。
【００７４】
なお、判定回路４１は、検出電圧Ｖ３が第１閾値Ｖｓ１に達した時点の電圧値を検出するように構成されているが、この構成を特に限定するものではない。判定回路４１は、例えば、検出電圧Ｖ３が第１閾値Ｖｓ１に達した時点から直後の時点の電圧値を検出するように構成されていてもよい。検出電圧Ｖ３が第１閾値Ｖｓ１に達した時点から直後の時点とは、例えば、検出電圧Ｖ３が第１閾値Ｖｓ１に達した時点から数１０μｓ以内の時点を意味する。
【００７５】
また、制御回路３８は、判定回路４１を備えているが、これに限らない。判定回路４１は、例えば、制御回路３８と別体に設けられていてもよい。
【００７６】
以上説明した本実施形態の点灯装置２２は、固体発光素子２５を具備する光源部２１を点灯させる点灯装置２２である。点灯装置２２は、一対の端子４２Ａ，４２Ｂと、位相制御された交流電圧を全波整流する第１整流回路３３と、第１整流回路３３により全波整流された電圧を所定の直流電圧もしくは所定の直流電流に変換する電力変換回路３４とを備えている。また、点灯装置２２は、電力変換回路３４を制御する制御回路３８と、前記位相制御された交流電圧を全波整流する第２整流回路３６と、第２整流回路３６により全波整流された電圧を検出する検出回路３５と、判定回路４１とを備えている。判定回路４１は、検出回路３５により検出された電圧Ｖ３が予め設定された第１閾値Ｖｓ１よりも大きくなった時点から検出回路３５により検出された電圧Ｖ３が予め設定された第２閾値Ｖｓ２に低下した時点までの期間を検出し、かつ、前記期間が検出回路３５により検出された電圧Ｖ３の位相の大きさであるか否かを判定するように構成されている。第１整流回路３３および第２整流回路３６は、交流電源４０と調光装置１０との直列回路が一対の端子４２Ａ，４２Ｂ間に接続されたときに、前記位相制御された交流電圧を全波整流するように構成されている。電力変換回路３４は、スイッチング素子（第１スイッチング素子）Ｑ１を備えている。制御回路３８は、判定回路４１により前記期間が前記位相の大きさであると判定されたとき、前記位相の大きさであると判定された前記期間に基づいて、スイッチング素子Ｑ１を制御する。これにより、点灯装置２２では、光源部２１の光出力を決定する調光比の誤検出を抑制することが可能となる。
【００７７】
点灯装置２２は、一対の端子４２Ａ，４２Ｂ間に接続されたフィルタ回路３２を、更に備えていることが好ましい。フィルタ回路３２は、第１整流回路３３および第２整流回路３６それぞれの入力側に設けられていることが好ましい。これにより、点灯装置２２では、ノイズの発生を抑制することが可能となる。よって、点灯装置２２では、光源部２１の光出力を決定する調光比の誤検出を、より抑制することが可能となる。
【００７８】
判定回路４１は、検出した前記期間である第１期間Ｔｂが、前回に検出した前記期間である第２期間Ｔａよりも短いとき、第１期間Ｔｂが前記位相の大きさであると判定することが好ましい。これにより、点灯装置２２でも、光源部２１の光出力を決定する調光比の誤検出を抑制することが可能となる。
【００７９】
判定回路４１は、検出回路３５により検出された電圧Ｖ３から複数のサンプル値を抽出するように構成されていることが好ましい。また、判定回路４１は、抽出した前記サンプル値である第１サンプル値Ｓ１と前回に抽出した前記サンプル値である第２サンプル値Ｓ２との差分Ｗ１が、予め規定された規定値以上のとき、第１サンプル値Ｓ１が抽出された時点を調光装置１０に予め設けられたスイッチング装置３が遮断状態から導通状態になった時点であると判定し、かつ、第１サンプル値Ｓ１が抽出された時点から検出回路３５により検出された電圧が第２閾値Ｖｓ２以下になった時点までの期間Ｔｃが前記位相の大きさであると判定することが好ましい。これにより、点灯装置２２でも、光源部２１の光出力を決定する調光比の誤検出を抑制することが可能となる。
【００８０】
判定回路４１は、検出回路３５により検出された電圧Ｖ３が第１閾値Ｖｓ１に達した時点の電圧値を、検出するように構成されていることが好ましい。また、判定回路４１は、前記電圧値が第１閾値Ｖｓ１よりも大きな第３閾値Ｖｓ３以上のとき、第１閾値Ｖｓ１に達した時点を、調光装置１０に予め設けられたスイッチング装置３が遮断状態から導通状態になった時点であると判定することが好ましい。また、判定回路４１は、検出回路３５により検出された電圧Ｖ３が第１閾値Ｖｓ１よりも大きくなった時点から検出回路３５により検出された電圧Ｖ３が第２閾値Ｖｓ２に低下した時点までの期間Ｔｄが、前記位相の大きさであると判定することが好ましい。これにより、点灯装置２２でも、光源部２１の光出力を決定する調光比の誤検出を抑制することが可能となる。
【００８１】
以下、本実施形態の照明器具２０について、図８に基づいて説明する。
【００８２】
照明器具２０は、例えば、天井材５０に直付けされるように構成されている。照明器具２０は、光源部２１と、点灯装置２２と、器具本体２３と、拡散部２４とを備えている。なお、図１〜図３では、器具本体２３および拡散部２４それぞれの図示を省略している。
【００８３】
光源部２１は、複数の固体発光素子２５と、基板２６とを備えている。基板２６は、例えば、プリント基板である。基板２６の第１面（図８では、下面）には、複数の固体発光素子２５が電気的に実装されている。複数の固体発光素子２５は、基板２６の第１面内における仮想円の円周上において等間隔に配置されている。
【００８４】
点灯装置２２は、例えば、一対の第１接続線（図示せず）を介して基板２６と電気的に接続されている。また、点灯装置２２は、例えば、一対の第２接続線２７Ａ，２７Ｂを電気的に接続するように構成されている。一対の第２接続線２７Ａ，２７Ｂは、例えば、天井材５０に予め設けられた第１孔５１から導出された一対の電線である。
【００８５】
点灯装置２２には、例えば、第２接続線２７Ａを介して交流電源４０（図３参照）を電気的に接続することができる。また、点灯装置２２には、例えば、第２接続線２７Ｂを介して調光装置１０（図３参照）を電気的に接続することができる。
【００８６】
器具本体２３は、光源部２１および点灯装置２２それぞれが取り付けられるように構成されている。器具本体２３は、本体部２８と、鍔部２９とを備えている。器具本体２３の材料は、例えば、金属である。金属としては、例えば、アルミニウム、ステンレス、鉄などが挙げられる。
【００８７】
本体部２８は、例えば、有底円筒状に形成されている。本体部２８の底壁には、一対の第２接続線２７Ａ，２７Ｂを通すための第２孔（図示せず）が形成されている。鍔部２９は、本体部２８の側壁における開口側（図８では、下側）の端部から外方へ突出するように構成されている。また、鍔部２９は、本体部２８と一体に構成されている。なお、本体部２８は、有底円筒状に形成されているが、この形状に限らない。本体部２８は、例えば、有底角筒状に形成されていてもよい。
【００８８】
器具本体２３は、光源部２１および点灯装置２２それぞれが取り付けられるように構成されているが、これに限らない。器具本体２３は、例えば、光源部２１のみが取り付けられるように構成されていてもよい。この場合、点灯装置２２は、天井材５０の第１面側（図８では、上面側）に設置されることが好ましい。これにより、照明器具２０では、点灯装置２２で発生する熱が光源部２１に伝導するのを抑制することが可能となり、光源部２１の劣化を抑制することが可能となる。また、照明器具２０では、光源部２１で発生する熱が点灯装置２２に伝導するのを抑制することが可能となり、点灯装置２２を構成する複数の電子部品の劣化を抑制することが可能となる。
【００８９】
拡散部２４は、各固体発光素子２５から放射された光を拡散するように構成されている。また、拡散部２４は、器具本体２３の鍔部２９に取り付けられるように構成されている。拡散部２４の材料は、例えば、透光性材料である。透光性材料としては、例えば、アクリル樹脂、ガラスなどが挙げられる。
【００９０】
また、照明器具２０は、ブリーダ回路３１（図１〜図３参照）を備えている。ブリーダ回路３１は、図３に示すように、光源部２１と点灯装置２２とを含む照明負荷１９と電気的に並列接続されている。なお、図８では、ブリーダ回路３１の図示を省略している。
【００９１】
ブリーダ回路３１は、図２に示すように、第２スイッチング素子Ｑ２と、複数（本実施形態では、２つ）の抵抗Ｒ１，Ｒ２の直列回路と、ツェナーダイオードＺＤ１とを備えている。
【００９２】
第２スイッチング素子Ｑ２は、例えば、ノーマリオフ型のｎチャネルＭＯＳＦＥＴである。第２スイッチング素子Ｑ２の第１主端子（本実施形態では、ドレイン端子）は、第４ダイオードＤ４および第５ダイオードＤ５それぞれのカソードと電気的に接続されている。第２スイッチング素子Ｑ２の第２主端子（本実施形態では、ソース端子）は、抵抗Ｒ１の第１端と電気的に接続されている。抵抗Ｒ１の第２端は、抵抗Ｒ２の第１端と電気的に接続されている。抵抗Ｒ２の第２端は、第１整流回路３３である上記ダイオードブリッジにおける一対の出力端のうちの第１出力端と電気的に接続されている。第２スイッチング素子Ｑ２の制御端子（本実施形態では、ゲート端子）は、制御回路３８と電気的に接続されている。
【００９３】
ツェナーダイオードＺＤ１のアノードは、抵抗Ｒ２の第２端と電気的に接続されている。ツェナーダイオードＺＤ１のカソードは、第２スイッチング素子Ｑ２のゲート端子と電気的に接続されている。
【００９４】
ブリーダ回路３１は、調光装置１０におけるスイッチング装置３が遮断状態のときに、交流電源４０から電流（以下、「ブリーダ電流」）Ｉｂが流れ、かつ、ブリーダ電流Ｉｂを調光装置１０の電源回路５へ出力するように構成されている。具体的に説明すると、制御回路３８は、スイッチング装置３が遮断状態のとき、第２スイッチング素子Ｑ２をオン状態にするように構成されている。これにより、ブリーダ回路３１は、スイッチング装置３が遮断状態のとき、ブリーダ電流Ｉｂを、調光装置１０における第２ダイオードＤ２を介して、第３コンデンサＣ３へ出力することが可能となる。言い換えれば、ブリーダ回路３１は、スイッチング装置３が遮断状態のとき、ブリーダ電流Ｉｂを調光装置１０の電源回路５へ出力することが可能となる。
【００９５】
ところで、本願発明者らは、照明システム３０において、スイッチング装置３が遮断状態のとき、ブリーダ電流Ｉｂが交流電源４０からブリーダ回路３１を介して調光装置１０の電源回路５に流れるので、第３コンデンサＣ３の両端電圧Ｖ５が上昇するという知見を得た（図４参照）。よって、照明システム３０では、スイッチング装置３が遮断状態のときに、調光装置１０における第３コンデンサＣ３を充電することが可能となり、電源回路５から制御回路４に供給される第１直流電圧Ｖ１を安定化させることが可能となる。したがって、照明システム３０では、制御回路４の動作を安定化させることが可能となる。
【００９６】
また、本願発明者らは、照明システム３０において、照明器具２０のブリーダ回路３１にブリーダ電流Ｉｂが流れるときに、点灯装置２２の検出回路３５により検出された検出電圧Ｖ３の位相の大きさが変動することがあるという知見を得た（図４および図５参照）。より詳しく説明すると、本願発明者らは、照明システム３０において、照明器具２０のブリーダ回路３１にブリーダ電流Ｉｂが流れ、かつ、調光装置１０のスイッチング装置３の導通角が小さいとき、検出電圧Ｖ３の立ち上がりエッジが周期的に、顕著に歪むことがあるという知見を得た（図４および図５参照）。また、本願発明者らは、点灯装置２２において、スイッチング装置３の導通角が小さいときに、検出電圧Ｖ３の位相の大きさが変動すると、光源部２１から放射された光のちらつきが顕著に現れると考えた。
【００９７】
判定回路４１は、上述でも説明したように、検出した上記期間である第１期間Ｔｂが、第１期間Ｔｂを検出する前に検出した上記期間である第２期間Ｔａよりも短いとき、第１期間Ｔｂが検出電圧Ｖ３の位相の大きさであると判定する。これにより、点灯装置２２は、光源部２１の光出力を決定する調光比の誤検出を抑制することが可能となる。よって、点灯装置２２では、スイッチング装置３の導通角が小さいときに、光源部２１から放射される光がちらつくのを抑制することが可能となる。
【００９８】
また、点灯装置２２における制御回路３８は、スイッチング装置３が導通状態のとき、第２スイッチング素子Ｑ２をオフ状態にするように構成されている。これにより、照明器具２０は、光源部２１を点灯させたり、制御回路３８を動作させたりするために必要な電力を点灯装置２２に供給することが可能となる。また、照明器具２０は、ブリーダ回路３１における第２スイッチング素子Ｑ２がオフ状態となるので、ブリーダ回路３１での電力損失を抑制することが可能となる。
【００９９】
照明器具２０は、ブリーダ回路３１を有するモジュール基板（図示せず）が収納されたユニット（図示せず）を備えている。モジュール基板とは、ブリーダ回路３１を構成する複数の電子部品が電気的に実装された基板を意味する。
【０１００】
上記ユニットは、器具本体２３に取り付けられるように構成されていてもよいし、天井材５０の第１面側（図８では、上面側）に設置されるように構成されていてもよい。
【０１０１】
なお、照明器具２０は、ブリーダ回路３１を備えているが、これを特に限定するものではなく、ブリーダ回路３１を備えていなくてもよい。
【０１０２】
以上説明した本実施形態の照明器具２０は、光源部２１と、光源部２１を点灯させる点灯装置２２と、光源部２１が取り付けられる器具本体２３とを備えている。これにより、照明器具２０では、光源部２１の光出力を決定する調光比の誤検出を抑制可能な点灯装置２２を備えた照明器具２０を提供することができる。
【０１０３】
照明器具２０は、光源部２１と点灯装置２２とを含む照明負荷１９に並列に接続されたブリーダ回路３１を、更に備えることが好ましい。これにより、照明器具２０では、交流電源４０と調光装置１０との直列回路が電気的に接続され、かつ、スイッチング装置３が遮断状態のときに、交流電源４０からの電流Ｉｂを調光装置１０へバイパスさせることが可能となる。
【符号の説明】
【０１０４】
１９  照明負荷
２０  照明器具
２１  光源部
２２  点灯装置
２３  器具本体
２５  固体発光素子
３１  ブリーダ回路
３２  フィルタ回路
３３  第１整流回路
３４  電力変換回路
３５  検出回路
３６  第２整流回路
３８  制御回路
４１  判定回路
４２Ａ，４２Ｂ  一対の端子
Ｑ１  第１スイッチング素子（スイッチング素子）
【図１】
2015207423.tif 000003
【図２】
2015207423.tif 000004
【図３】
2015207423.tif 000005
【図４】
2015207423.tif 000006
【図５】
2015207423.tif 000007
【図６】
2015207423.tif 000008
【図７】
2015207423.tif 000009
【図８】
2015207423.tif 000010